(57)【要約】【課題】  取り扱いが容易な動物の首輪または胴輪用引き紐を提供する。【解決手段】  引き紐１００は、動物ａの首輪１０の引き環８に連結されるフック部２０およびフック部２０を開閉するために弾性体で付勢されて摺動自在な開閉ストッパー１１を有する開閉環部４と、開閉環部４に結合された閉鎖環部３とを有するナスカン５を備え、可撓体からなるリード７と、リード７の一端側に設けられた把持用ループ部６と、リード７の他端側に設けられた連結用ループ部２とを有し、連結用ループ部２と閉鎖環部３とをこじれ防止閉環１を介して連結した。【選択図】  図１
2006141205.tif 000002
【特許請求の範囲】
【請求項１】
動物の首輪又は胴輪の引き環に連結されるフック部および前記フック部を開閉するために弾性体で付勢されて摺動自在な開閉ストッパーを有する開閉環部と、前記開閉環部に結合された閉鎖環部とを有するナスカンを備え、可撓体からなるリードと、前記リードの一端側に設けられた把持部と、前記リードの他端側に設けられた連結用ループ部とを有し、前記連結用ループ部と前記閉鎖環部とをこじれ防止閉環を介して連結したことを特徴とする動物の首輪又は胴輪用引き紐。
【請求項２】
動物の首輪又は胴輪の引き環に連結されるフック部および前記フック部を開閉するために弾性体で付勢されて摺動自在な開閉ストッパーを有する開閉環部と、前記開閉環部に結合された閉鎖環部とを有するナスカンを備え、可撓体からなるリードと、前記リードの一端側に設けられた把持部と、前記リードの他端側に設けられた連結用ループ部とを有し、前記ナスカンのフック部と前記引き環と、または前記ナスカンの閉鎖環部と前記連結用ループ部とをこじれ防止閉環を介して連結したことを特徴とする動物の首輪又は胴輪と引き紐との連結構造。
【発明の詳細な説明】
【技術分野】
【０００１】
本発明は、動物の首輪又は胴輪の引き環に連結されるナスカンを備えた動物の首輪又は胴輪用引き紐に関する。
【背景技術】
【０００２】
図９は従来の首輪用引き紐９０及びその使用状態を示す図である。人が犬等の動物ａを散歩に引き連れるような場合、動物ａに装着した首輪１０に設けた引き環８に引き紐９０を連結して用いる。
【０００３】
引き紐９０は、リード７を備える。このリード７は、合成樹脂繊維を多数引きそろえた繊維束を丸く組み上げた組紐からなる。この組紐状のリード７の基端は、折り返して二股状とし、筒状カバー１６と筒状カバー１６に係止された係止部材１７とからなる二股状接続カバー１５により把持用ループ部６を形成している。この把持用ループ部６は、引き紐９０の把持部分として使用される。
【０００４】
リード７の先端も同様に折り返して二股状とし、筒状カバー１３と筒状カバー１３に係止された係止部材１４とからなる二股状接続カバー１２により連結用ループ２を形成している。
【０００５】
連結用ループ２にはナスカン５が連結される。ナスカン５は開閉環部４を有する。開閉環部４は、首輪１０の引き輪８に連結されるフック部２０と、フック部２０を開閉するために図示しないバネで付勢されて摺動自在な開閉ストッパー１１とを有する。この開閉環部４の連結用ループ２側には、連結用ループ２に連結された閉鎖環部３がフック部２０に回転自在に軸支されている。
【特許文献１】特開平１０−１０８５７６号公報
【発明の開示】
【発明が解決しようとする課題】
【０００６】
しかしながら前記従来の構成では、犬が連結部である引き輪を中心に回るなど異常な動きをして引き輪が捩れてナスカンが反転するような場合、引き紐による犬の操作がやり難くなることがあるし、この状態で犬の急な動きにより引き紐が緊張するとこじれが生じ、開閉ストッパーを開き側に摺動させる摩擦力働かないとも限らないという問題がある。
【０００７】
本発明の目的は、上記従来例の問題点を解決し得る動物の首輪または胴輪用引き紐を提供することにある。
【課題を解決するための手段】
【０００８】
本発明の動物の首輪または胴輪用引き紐は、動物の首輪又は胴輪の引き環に連結されるフック部および前記フック部を開閉するために弾性体で付勢されて摺動自在な開閉ストッパーを有する開閉環部と、前記開閉環部に結合された閉鎖環部とを有するナスカンを備え、可撓体からなるリードと、前記リードの一端側に設けられた把持部と、前記リードの他端側に設けられた連結用ループ部とを有し、前記連結用ループ部と前記閉鎖環部とをこじれ防止閉環を介して連結したことを特徴とする。
【０００９】
この構成によれば、リードの他端側の連結用ループ部とナスカンの閉鎖環部とがこじれ防止閉環を介して連結される。このため、連結構造の運動の自由度が向上し、ナスカンが引き環に対してこじれ難くなる。その結果、首輪または胴輪に連結された引き紐の取り扱いが容易になる。
【００１０】
本発明の動物の首輪又は胴輪と引き紐との連結構造は、動物の首輪又は胴輪の引き環に連結されるフック部および前記フック部を開閉するために弾性体で付勢されて摺動自在な開閉ストッパーを有する開閉環部と、前記開閉環部に結合された閉鎖環部とを有するナスカンを備え、可撓体からなるリードと、前記リードの一端側に設けられた把持部と、前記リードの他端側に設けられた連結用ループ部とを有し、前記ナスカンのフック部と前記引き環と、または前記ナスカンの閉鎖環部と前記連結用ループ部とをこじれ防止閉環を介して連結したことを特徴とする。
【００１１】
この構成によれば、ナスカンのフック部と引き環と、またはナスカンの閉鎖環部とリードの他端側の連結用ループ部とが、こじれ防止閉環を介して連結される。このため、連結構造の運動の自由度が向上し、ナスカンが引き環に対してこじれ難くなる。その結果、引き紐の取り扱いが容易になる。
【発明の効果】
【００１２】
本発明によれば、こじれ防止閉環を介する連結により運動の自由度が増大してナスカンが引き環に対してこじれ難くなるため、動物の首輪または胴輪用引き紐の取り扱いを容易にすることができる。
【発明を実施するための最良の形態】
【００１３】
（実施の形態１）
図１は実施の形態１に係る首輪用引き紐１００及びその使用状態を示す斜視図であり、図２は引き紐１００の要部断面図である。
【００１４】
引き紐１００は、人が犬等の動物ａを散歩に引き連れるような場合、動物ａに装着した首輪１０に設けた引き環８に連結して使用される。
【００１５】
引き紐１００は、リード７を備える。このリード７は、合成樹脂繊維を多数引きそろえた繊維束を丸く組み上げた組紐からなる。この組紐状のリード７の一端は、折り返して二股状とし、筒状カバー１６と筒状カバー１６に係止された係止部材１７とからなる二股状接続カバー１５により把持用ループ部６を形成している。この把持用ループ部６は、引き紐１００の把持部として使用される。
【００１６】
リード７の他端も同様に折り返して二股状とし、筒状カバー１３と筒状カバー１３に係止された係止部材１４とからなる二股状接続カバー１２により連結用ループ２を形成している。
【００１７】
引き紐１００にはナスカン５が設けられる。ナスカン５は開閉環部４を有する。この開閉環部４は、首輪１０の引き輪８に連結されるフック部２０と、フック部２０を開閉するために図示しないバネで付勢されて摺動自在な開閉ストッパー１１とを有する。開閉環部４の連結用ループ２側には、閉鎖環部３がフック部２０に回転自在に軸支されている。
【００１８】
リード７の他端側の連結用ループ部２とナスカン５の閉鎖環部３とは、こじれ防止閉環１を介して連結されている。
【００１９】
このように構成された引き紐１００においては、ナスカン５の閉鎖環部３とリード７の他端側の連結用ループ２との間にこじれ防止閉環１を付加したので、連結構造の運動の自由度が向上し、ナスカン５が引き環８に対してこじれ難くなる。その結果、動物ａの首輪１０に連結した引き紐１００の取り扱いが容易になる。
【００２０】
なおリード７を組紐で構成した例を示したが、本発明はこれに限定されない。リード７は可撓体であればよく、例えばワイヤ、ベルト及びテープ等により構成してもよい。
【００２１】
また引き紐の把持部は、ループを形成しなくてもよい。
【００２２】
図３は、実施の形態１に係る引き紐１００の他の使用状態を示す斜視図である。図３に示すように、引き紐１００は胴輪９に連結してもよい。胴輪９は、紐体３２と、紐体３２を８の字状にして首輪部３４と胴輪部３５とを形成するための支持プレート３６と、支持プレート３６に取り付けられた引き輪８とを備える。胴輪９の引き輪８に引き紐１００のナスカン５の開閉環部４を連結する。
【００２３】
図４は、実施の形態１に係る他の引き紐１００Ａの正面図である。図４に示すようにリード７Ａをワイヤ部材で構成し、このワイヤ部材の先端に連結した閉環部材により連結用ループ部２Ａを構成し、こじれ防止閉環１に連結してもよい。
【００２４】
図５は、実施の形態１に係るさらに他の引き紐１００Ｂの正面図である。図５に示すようにリード７Ｂをロープ部材で構成し、このロープ部材の先端の折り返しｄ１を折り返して管状の止め金具ｈにより連結用ループ部２Ｂを形成し、この連結用ループ部２Ｂにこじれ防止閉環１を連結してもよい。
【００２５】
図６は、実施の形態１に係る引き紐ユニット１００ｃの斜視図である。図６に示すように、リード７ｃを巻き取り式にした引き紐ユニット１００ｃを構成しても良い。
【００２６】
引き紐ユニット１００ｃのユニット本体４５は、二つ割構造のケース状の巻き取り部４８と、把持部４７と、その一端が巻き取り部４８内に回転自在に保持された図示しないリールに繰出し可能に巻き取られるリード７ｃと、リールの回転を解除自在に規制するロック機構４２と、ロック機構４２の操作部４６とを備える。リード７ｃの他端側には、連結用ループ部２が形成される。開閉環部４と閉鎖環部３とを有するナスカン５が設けられ、連結用ループ部２と閉鎖環部３とが、こじれ防止閉環１を介して連結されている。
【００２７】
（実施の形態２）
図７は、実施の形態２に係る首輪１０Ａと引き紐９０との連結構造の斜視図である。前述した構成要素と同一の構成要素には同一の参照符号を付している。これらの構成要素の詳細な説明は省略する。
【００２８】
引き紐９０は、把持用ループ部６と、リード７と、連結用ループ部２と、開閉環部４及び閉鎖環部３を有するナスカン５とを備え、連結用ループ部２と閉鎖環部３とは直接連結されている。首輪１０Ａに設けた引き輪８と、ナスカン５の開閉環部４とは、こじれ防止閉環１を介して連結されている。
【００２９】
このように構成された連結構造では、ナスカン５の開閉環部４と引き環８との間にこじれ防止環１を付加したので、連結構造の運動の自由度が向上し、ナスカン５が引き環８に対してこじれ難くなる。その結果、引き紐の取り扱いが容易になる。
【００３０】
図８は、実施の形態２に係る首輪１０Ｂと引き紐９０との連結構造の斜視図である。図８に示すように、引き環８の替わりに、首輪１０Ｂの長手方向に沿って伸びるガイドバー部２１を設け、このガイドバー部２１にこじれ防止環１を移動自在に設け、このこじれ防止環１にナスカン５の開閉環部４を連結してもよい。ガイドバー部２１とナスカン５の開閉環部４とがこじれ防止閉環１を介して連結されているので、連結構造の運動の自由度が向上し、ナスカン５がガイドバー部２１に対してこじれ難くなる。
【産業上の利用可能性】
【００３１】
本発明は、動物の首輪又は胴輪の引き環に連結されるナスカンを備えた動物の首輪又は胴輪用引き紐に適用することができる。
【図面の簡単な説明】
【００３２】
【図１】実施の形態１に係る首輪用引き紐及びその使用状態を示す斜視図
【図２】実施の形態１に係る引き紐の要部断面図
【図３】実施の形態１に係る引き紐の他の使用状態を示す図
【図４】実施の形態１に係る他の引き紐の正面図
【図５】実施の形態１に係るさらに他の引き紐の正面図
【図６】実施の形態１に係る引き紐ユニットの斜視図
【図７】実施の形態２に係る首輪と引き紐との連結構造の斜視図
【図８】実施の形態２に係る首輪と引き紐との他の連結構造の斜視図
【図９】従来の首輪用引き紐及びその使用状態を示す斜視図
【符号の説明】
【００３３】
１  こじれ防止閉環
２  連結用ループ部
３  閉鎖環部
４  開閉環部
５  ナスカン
６  把持用ループ部
７  リード
８  引き環
９  胴輪
１０  首輪
１１  開閉ストッパー
１２、１５  二股状接続カバー
１３、１６  筒状カバー
１４、１７  係合部材
２０  フック部
２１  ガイドバー部
１００  引き紐
【図１】
2006141205.tif 000003
【図２】
2006141205.tif 000004
【図３】
2006141205.tif 000005
【図４】
2006141205.tif 000006
【図５】
2006141205.tif 000007
【図６】
2006141205.tif 000008
【図７】
2006141205.tif 000009
【図８】
2006141205.tif 000010
【図９】
2006141205.tif 000011